【手続補正書】
【提出日】平成26年1月22日(2014.1.22)
【手続補正１】
【補正対象書類名】明細書
【補正対象項目名】発明の名称
【補正方法】変更
【補正の内容】
【発明の名称】給紙装置の制御方法及び画像形成システム
【手続補正２】
【補正対象書類名】特許請求の範囲
【補正対象項目名】全文
【補正方法】変更
【補正の内容】
【特許請求の範囲】
【請求項１】
所定のサイズの封筒を収納し収納された封筒を給送する用紙給送部と、長手方向の幅が封筒の幅以上である上部ローラーと下部ローラーからなり前記用紙給送部から給送される封筒の姿勢を矯正して封筒を下流側へ搬送するレジストローラーと、を備え、封筒搬送時、封筒の開封部位と反対側の密閉部位を前記上部ローラーと前記下部ローラーとのニップ部に突き当て、その後、前記上部ローラーと前記下部ローラーに封筒を挟持した状態で封筒を搬送する給紙装置の制御方法であって、
封筒に形成される画像の印字率に基づいて封筒の搬送速度を制御する封筒モードの設定を受け付ける受付工程と、
前記受付工程において受け付けられた前記封筒モードの設定に基づいて前記レジストローラーの回転速度を調整し封筒の搬送速度を制御する制御工程と、
を有することを特徴とする給紙装置の制御方法。
【請求項２】
前記制御工程において、封筒に形成される画像の印字率と、印字率の判別基準としての閾値とを比較し、封筒に形成される画像の印字率が前記閾値を越える場合は封筒の搬送速度を基準の搬送速度よりも遅く設定し、封筒に形成される画像の印字率が前記閾値以下である場合は封筒の搬送速度を基準の搬送速度と同等に設定する
ことを特徴とする請求項１に記載の給紙装置の制御方法。
【請求項３】
前記制御工程において、封筒に形成される画像の印字率が前記閾値を越える場合、前記レジストローラーを所定角度、回転させ、その後、停止させる動作を繰り返す断続回転制御を実行する
ことを特徴とする請求項２に記載の給紙装置の制御方法。
【請求項４】
所定のサイズの封筒を収納し収納された封筒を給送する用紙給送部と、長手方向の幅が給送される封筒の幅以上である上部ローラーと下部ローラーからなり前記用紙給送部から給送される封筒の姿勢を矯正して封筒を下流側へ搬送するレジストローラーと、を備え、封筒搬送時、封筒の開封部位と反対側の密閉部位を前記上部ローラーと前記下部ローラーとのニップ部に突き当て、その後、前記上部ローラーと前記下部ローラーに封筒を挟持した状態で封筒を搬送する給紙装置と、
前記給紙装置に連結され、前記給紙装置から給送される封筒に画像を形成する画像形成部と、
前記画像形成部によって封筒に形成される画像の印字率に基づいて封筒の搬送速度を制御する封筒モードに対応して前記給紙装置を制御する制御部と、を備え、
前記制御部は、前記封筒モードの設定を受け付け、受け付けられた前記封筒モードの設定に基づいて前記レジストローラーの回転速度を調整し封筒の搬送速度を制御する
ことを特徴とする画像形成システム。
【請求項５】
前記制御部は、封筒に形成される画像の印字率と、印字率の判別基準としての閾値とを比較し、封筒に形成される画像の印字率が前記閾値を越える場合は封筒の搬送速度を基準の搬送速度よりも遅く設定し、封筒に形成される画像の印字率が前記閾値以下である場合は封筒の搬送速度を基準の搬送速度と同等に設定する
ことを特徴とする請求項４に記載の画像形成システム。
【請求項６】
封筒に形成される画像の印字率が前記閾値を越える場合、前記制御部は、前記レジストローラーを所定角度、回転させ、その後、停止させる動作を繰り返す断続回転制御を実行する
ことを特徴とする請求項５に記載の画像形成システム。
【請求項７】
前記封筒モードに対応した給紙装置が前記画像形成部に対して多重に連結可能となされている
ことを特徴とする請求項４〜６の何れか一項に記載の画像形成システム。
【手続補正３】
【補正対象書類名】明細書
【補正対象項目名】０００１
【補正方法】変更
【補正の内容】
【０００１】
本発明は、カラー用や白黒用等のプリンター、複写機、これらの複合機等に大容量の給紙装置を連結し、封筒を含む大量の印刷物を作成するプロダクションプリントシステムに適用可能な給紙装置の制御方法及び画像形成システムに関するものである。
【手続補正４】
【補正対象書類名】明細書
【補正対象項目名】０００９
【補正方法】変更
【補正の内容】
【０００９】
そこで、本発明は上述した課題を解決したものであって、封筒内のエアーを抜く動作を再現性良く実行できるようにすると共に、画像形成前の封筒の平面性を向上できるようにした給紙装置の制御方法及び画像形成システムを提供することを目的とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
上記課題を解決するために、請求項１に記載の給紙装置の制御方法は、所定のサイズの封筒を収納し収納された封筒を給送する用紙給送部と、長手方向の幅が封筒の幅以上である上部ローラーと下部ローラーからなり前記用紙給送部から給送される封筒の姿勢を矯正して封筒を下流側へ搬送するレジストローラーと、を備え、封筒搬送時、封筒の開封部位と反対側の密閉部位を前記上部ローラーと前記下部ローラーとのニップ部に突き当て、その後、前記上部ローラーと前記下部ローラーに封筒を挟持した状態で封筒を搬送する給紙装置の制御方法であって、封筒に形成される画像の印字率に基づいて封筒の搬送速度を制御する封筒モードの設定を受け付ける受付工程と、前記受付工程において受け付けられた前記封筒モードの設定に基づいて前記レジストローラーの回転速度を調整し封筒の搬送速度を制御する制御工程と、を有することを特徴とするものである。
【手続補正１０】
【補正対象書類名】明細書
【補正対象項目名】００１５
【補正方法】変更
【補正の内容】
【００１５】
請求項２に記載の給紙装置の制御方法は、請求項１において、封筒に形成される画像の印字率と、印字率の判別基準としての閾値とを比較し、封筒に形成される画像の印字率が前記閾値を越える場合は、封筒の搬送速度を基準の搬送速度よりも遅く設定し、封筒に形成される画像の印字率が前記閾値以下である場合は、封筒の搬送速度を基準の搬送速度と同等に設定することを特徴とするものである。
【手続補正１１】
【補正対象書類名】明細書
【補正対象項目名】００１６
【補正方法】変更
【補正の内容】
【００１６】
請求項３に記載の給紙装置の制御方法は、請求項２において、封筒に形成される画像の印字率が前記閾値を越える場合、前記レジストローラーを所定角度、回転させ、その後、停止させる動作を繰り返す断続回転制御を実行することを特徴とするものである。
【手続補正１２】
【補正対象書類名】明細書
【補正対象項目名】００１７
【補正方法】変更
【補正の内容】
【００１７】
請求項４に記載の画像形成システムは、所定のサイズの封筒を収納し収納された封筒を給送する用紙給送部と、長手方向の幅が給送される封筒の幅以上である上部ローラーと下部ローラーからなり前記用紙給送部から給送される封筒の姿勢を矯正して封筒を下流側へ搬送するレジストローラーと、を備え、封筒搬送時、封筒の開封部位と反対側の密閉部位を前記上部ローラーと前記下部ローラーとのニップ部に突き当て、その後、前記上部ローラーと前記下部ローラーに封筒を挟持した状態で封筒を搬送する給紙装置と、前記給紙装置に連結され、前記給紙装置から給送される封筒に画像を形成する画像形成部と、前記画像形成部によって封筒に形成される画像の印字率に基づいて封筒の搬送速度を制御する封筒モードに対応して前記給紙装置を制御する制御部と、を備え、前記制御部は、前記封筒モードの設定を受け付け、受け付けられた前記封筒モードの設定に基づいて前記レジストローラーの回転速度を調整し封筒の搬送速度を制御することを特徴とするものである。
【手続補正１３】
【補正対象書類名】明細書
【補正対象項目名】００１８
【補正方法】変更
【補正の内容】
【００１８】
請求項５に記載の画像形成システムは、請求項４において、前記制御部は、封筒に形成される画像の印字率と、印字率の判別基準としての閾値とを比較し、封筒に形成される画像の印字率が前記閾値を越える場合は封筒の搬送速度を基準の搬送速度よりも遅く設定し、封筒に形成される画像の印字率が前記閾値以下である場合は封筒の搬送速度を基準の搬送速度と同等に設定するものである。
請求項６に記載の画像形成システムは、請求項５において、封筒に形成される画像の印字率が前記閾値を越える場合、前記制御部は、前記レジストローラーを所定角度、回転させ、その後、停止させる動作を繰り返す断続回転制御を実行することを特徴とするものである。
請求項７に記載の画像形成システムは、請求項４〜６の何れか一項において、前記封筒モードに対応した給紙装置が前記画像形成部に対して多重に連結可能となされていることを特徴とするものである。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
請求項１に係る給紙装置の制御方法及び請求項４に係る画像形成システムによれば、封筒に形成される画像の印字率に対応した封筒の搬送速度で封筒のエアー抜き動作を実行できるようになる。これにより、封筒の搬送速度を一律にダウンさせる場合に比べて生産性を確保しつつ、封筒モードを実行できるようになる。
【手続補正１８】
【補正対象書類名】明細書
【補正対象項目名】００２３
【補正方法】変更
【補正の内容】
【００２３】
請求項２に係る給紙装置の制御方法及び請求項５に係る画像形成システムによれば、通常の用紙に比べて長い時間レジストローラーを通過する状態において、封筒のエアー抜き動作を実行できるようになる。
【手続補正１９】
【補正対象書類名】明細書
【補正対象項目名】００２４
【補正方法】変更
【補正の内容】
【００２４】
請求項３に係る給紙装置の制御方法及び請求項６に係る画像形成システムによれば、通常の用紙をレジストローラーに通過させる場合に比べて、封筒内のエアーを段階的に押し出す抜き動作を確実に実行できるようになる。
【手続補正２０】
【補正対象書類名】明細書
【補正対象項目名】００２５
【補正方法】変更
【補正の内容】
【００２５】
請求項７に係る画像形成システムによれば、封筒内のエアー抜き動作を給紙装置毎に実行できるばかりか、上流側の給紙装置から封筒を画像形成部に搬送する際に、上流側の給紙装置でエアー抜き動作がなされた封筒を、更に、下流側の給紙装置でエアー抜き動作を重ねて実行できるようになる。
【手続補正２１】
【補正対象書類名】図面
【補正対象項目名】図３
【補正方法】変更
【補正の内容】
【図３】
2013216445.tif 000001